(57)【要約】【課題】産業の近代化と共に竹の需要が激減し竹林が放置され、一方、生活廃棄物や産業廃棄物の急増と共に地球環境の破壊と温暖化が進み、これらの竹や廃棄物のリサイクル活用が強く求められている。本発明は、放置されている竹や各種廃棄物をリサイクルすることにより資源の有効利用と地球環境の破壊を抑制する粉粒竹炭含有組成物と粉粒竹炭含有成形品を提供することを目的としている。【解決手段】本発明の粉粒竹炭含有組成物５は、粉砕等により微小化した粉粒竹炭１と、該粉粒竹炭１と共に混合する生活廃棄物或は産業廃棄物を過熱等の処理により無機質化し、粉砕等により微小化した無機粉粒物２と、これらの粉粒竹炭１及び無機粉粒物２と共に混合する連結材３と、を有することを特徴とする。【選択図】  図２
2004181772.tif 000002
【特許請求の範囲】
【請求項１】
粉砕等により微小化した粉粒竹炭と、
該粉粒竹炭と共に混合する生活廃棄物或は産業廃棄物を加熱等の処理により無機質化し、粉砕等により微小化した無機粉粒物と、
を有することを特徴とする粉粒竹炭含有組成物。
【請求項２】
前記粉粒竹炭含有組成物と共に混合する連結材と、
を有することを特徴とする請求項１記載の粉粒竹炭含有組成物。
【請求項３】
前記粉粒竹炭含有組成物と、
該粉粒竹炭含有組成物と共に混合する水と、
を有し、該水と混合した粉粒竹炭含有組成物を所定の形状に成形したことを特徴とする請求項２記載の粉粒竹炭含有成形品。
【請求項４】
該粉粒竹炭含有成形品が、植物育成用容器であることを特徴とする請求項３記載の粉粒竹炭含有成形品。
【請求項５】
該粉粒竹炭含有成形品が、建造物の一部となる建設資材であることを特徴とする請求項３記載の粉粒竹炭含有成形品。
【請求項６】
該粉粒竹炭含有成形品が、舗装材であることを特徴とする請求項３記載の粉粒竹炭含有成形品。
【請求項７】
該粉粒竹炭含有成形品が、花器、動物飼育用水槽等の容器であることを特徴とする請求項３記載の粉粒竹炭含有成形品。
【請求項８】
該粉粒竹炭含有成形品が、花器、動物飼育用水槽等の容器内の水質腐敗防止用成形品であることを特徴とする請求項３記載の粉粒竹炭含有成形品。
【発明の詳細な説明】
【０００１】
【発明の属する技術分野】
本発明は、粉粒竹炭含有組成物及び粉粒竹炭含有成形品に関する。
【０００２】
【従来の技術】
従来「炭入りコンクリート製品」として「ポルトランドセメント１００重量部に対して、粉粒状木質炭化物１５〜３５重量部、細骨材を４０〜１５重量部の割合で配合し、所要量の水で混練して硬化させた炭入りコンクリート製品」があった（特許文献１参照）。このコンクリート製品は、木炭、セメント及び水を混合硬化させたもので、木炭の特性である水や空気を浄化する性質をコンクリート製品に活かしたものである。
【０００３】
【特許文献１】特開２０００―２１１９６０号公報
【０００４】
【発明が解決しようとする課題】
産業の近代化と共に竹の需要が激減し、竹林が放置されている。又、産業の発展による生活環境の変化に伴う産業廃棄物と生活廃棄物の処理量の急増により環境破壊や地球温暖化が急激に進むと共に終末廃棄場の不足から、これらの廃棄物のリサイクル活用によるゼロエミッションが強く求められている。
【０００５】
本発明は、植物性炭の中でも特に有効な特性を備えた竹炭に注目し、この竹炭と、前記生活廃棄物、産業廃棄物の焼却残留物、産業廃棄物である製紙排水の沈殿物等々の廃棄物を高温加熱、乾燥、化学的処理する等により、これらの処理物を素材として活用し、ゼロエミッションに貢献できる粉粒竹炭含有組成物及び粉粒竹炭含有成形品を提供することを目的としている。
【０００６】
【課題を解決するための手段】
本発明の粉粒竹炭含有組成物は、粉砕等により微小化した粉粒竹炭と、該粉粒竹炭と共に混合する生活廃棄物或は産業廃棄物を加熱等の処理により無機質化し、粉砕等により微小化した無機粉粒物と、を有することを特徴とし、この粉粒竹炭含有組成物と連結材を混合したものであっても良い。
【０００７】
前記粉粒竹炭含有組成物と水を混合し所定の形状に成形したり、この粉粒竹炭含有成形品を植物育成容器としたり、建造物の一部となる建設資材としたり、舗装材としたり、花器や動物飼育用水槽とうとしたり、花器や動物飼育用水槽等の容器内の水質腐敗防止用成形品とすることができる。
【０００８】
【発明の実施の形態】
以下、本願発明の実施例を図面に従って説明する。図１に示すように、粉粒竹炭１、無機粉粒物２、連結材３を用意する。必要に応じ骨材として砂や砂利を加えることもできる。
【０００９】
粉粒竹炭１とは、竹を高温加熱処理して得られた竹炭を粉砕等により微小化した粉粒体であり、一般に竹炭は、８００度から９００度内外の高温で加熱して得られるが、より高温の１３００度内外で加熱した竹炭が好ましい。
【００１０】
無機粉粒物２とは、生活廃棄物や産業廃棄物等の様々な廃棄物を焼却し無機化した残留物を破砕等により微小化した粉粒体、コンクリート、瀬戸物、硝子等セラミックス等を破砕等により微小化した粉粒体、製紙工程から排出される排水の沈殿物即ちヘドロを精製焼却した残留物や下水処理場から発生する残留物を焼却し無機化した残留物等々従来埋立て処分されていた無機物を破砕等により微小化した粉粒体等々である。後述する使用済み粉粒竹炭含有成形品８は、破砕等により微小化し無機粉粒物２として繰返し何回でも使用できる。
【００１１】
連結材３とは、前記粉粒竹炭１、無機粉粒物２、水６と共に撹拌混合して有形物に固形化するためのものであり、セメント（ポルトランドセメント、エコセメント等）、石膏、寒天等が考えられる。又、連結材３として、水６なしで粉粒竹炭１、無機粉粒物２と共に撹拌混合するなどにより粉粒竹炭１と無機粉粒物２の固形物成形する各種接着剤や合成樹脂、発泡樹脂などであってもよい。
【００１２】
前記粉粒竹炭１と無機粉粒物２に別途用意した連結材３（後述の粉粒竹炭含有組成物５を成形する者が任意に用意する）を、或は、粉粒竹炭１と無機粉粒物２及び連結材３を容器４内で撹拌混合した粉粒竹炭含有組成物５を袋や容器等に小分けする。この粉粒竹炭含有組成物５を容器７内で水６を加えて撹拌混合し、更に、別途用意した所望の形状の内部空間を有する型枠内に入れて硬化させると、所望の形状の粉粒竹炭含有成形品８が得られる。
【００１３】
上記構成の粉粒竹炭含有成形品８は、建設現場等粉粒竹炭含有成形品８を必要とする施工現場において、容器７内で粉粒竹炭含有組成物５に所望の連結材３と水６、或は、粉粒竹炭含有組成物５に水６のみを加え撹拌混合して成形し硬化させるものである。即ち、施工現場で必要に応じ必要な形状の粉粒竹炭含有成形品８が得られる。
【００１４】
上記構成の粉粒竹炭含有成形品８は、竹炭単体では得られない種々の用途を広げ、竹炭固有の特徴を様々な商品に活かすと共に、生活・産業等廃棄物等従来は埋立て処理されていた廃棄物を有用な素材として活用できるようになった。この結果、不足する終末処分場問題、地球温暖化等環境破壊問題の軽減解消への道を開いた。又、土上に散布したり、土と混合すれば、土壌改良剤として使用することもできる。
【００１５】
尚、前記粉粒竹炭１、無機粉粒物２、連結材３、必要に応じ混合される水６、砂や砂利等骨材の混合比率は、用途に応じ適度な比率で混合する。又、前記粉粒竹炭含有組成物５に任意の色素を加え着色した粉粒竹炭含有成形品８としたり、粉粒竹炭含有成形品８の表面に着色したシートや色彩豊かに印刷したシートを貼着したり或は着色塗料を塗装することもできる。
【００１６】
図２に示すように、前記粉粒竹炭１と無機粉粒物２と連結材３及び水６を容器４内で撹拌混合した後、別途用意した所望の形状の内部空間を有する型枠内で硬化成形して粉粒竹炭含有成形品８を得ることもできる。この製造方法による粉粒竹炭含有成形品８は、量産効果が得られ製造コストを低減できる。
【００１７】
産業の近代化と共に竹の需要が激減し、竹林は荒れ放題であり、伐採しても最終処分に困っていた。上記構成の粉粒竹炭含有組成物５と粉粒竹炭含有成形品８は、竹炭を破砕等により微小な粉粒化した粉粒竹炭１を有しており、竹炭には木炭より優れた水や空気を浄化する作用等様々な効用が備わっている。従来放置され、活用されていなかった竹を有用な産業用素材として復活活用し、竹炭の高度な効用を活用し、地球環境の破壊を抑制できるようになった。
【００１８】
産業の発展と共に生活廃棄物や産業廃棄物その他様々な環境から排出される排出物の殆どが、埋立て処理され地球環境破壊を抑制できなかった。上記構成の粉粒竹炭含有組成物（連結材３を含むものも含まないものも）５と粉粒竹炭含有成形品８は、組成物として微小化した無機粉粒物２を有しており、この無機粉粒物２は、前記排出物を加熱や化学的処理その他種々の方法で無機質化し、破砕等により粉粒化したものである。従来、埋立て処理され、有用な産業素材として活用されなかった前記排出物を産業上有用な素材として活用出来るようになり、地球環境破壊を抑制できるようになった。
【００１９】
以下、前記方法により製造された粉粒竹炭含有成形品８の具体的事例の一部を列記する。図３に示したものは、建造物等の内装用パネル１１である。内装用パネル１１は、厚さや幅長さを任意に変更して壁材、天井材、床材等として使用することもできる。この粉粒竹炭含有成形品８は、内装材のみならず躯体構造材、柱材、梁材、外装材等々建設資材として諸々の用途がある。
【００２０】
粉粒竹炭含有成形品８としての内装用パネル１１は、字義通り竹炭を含有し、竹炭固有の高い空気浄化効を備えて、建築資材から気化し室内の空気を汚染するシックスハウス病の元となる気化化学物質を吸着し、室内の空気を浄化する。内装パネル１１の含有成分である竹炭は、遠赤外線放射効を有しており、内装パネル１１等の成形品８を使用した建造物は、遠赤外線効による保温効果を有する。更に、これらの成形品８は、輻射熱遮断効果が高く、建造物内外の温度差を遮断し冷暖房効果即ち保温効果も発揮する。又、竹炭には、マイナスイオン効果も備わるから内装パネル１１等の建築材料を使用した建造物内は、マイナスイオンが充満し癒し効果も得られる。
【００２１】
図４に示したように、内装パネル１１をベース（各種パネル）１２上に接着剤１３により貼着した内装パネル１４としたり、図示しないネジなどにより取付けることもできる。この内装パネル１４に使う竹炭を通常の８００度〜９００度程度ではなく、１３００度内外或はもっと高温度で加熱処理すると、竹炭の炭素の純度が高まり、炭素純度の高い竹炭は通電すると発熱し暖房用パネルヒーターが得られる。或は、内装パネル１１，１４に使用する粉粒竹炭１の含有量を増やすことにより発熱能力を高めることによりもできる。
【００２２】
図５に示すように、粉粒竹炭含有組成物５を施工現場で水６と撹拌混合して舗装材１５として使用することもできる。この時の粉粒竹炭含有組成物５は、粉粒竹炭１と無機粉粒物２からなり、別途用意したセメントや他の連結剤３と混合するものであっても良いし、粉粒竹炭１と無機粉粒物２及び連結材３を混合したものに水６を加えて撹拌混合したものであっても良い。又、歩道の敷石用ブロック１６として粉粒竹炭含有成形品８を使うこともできる。
【００２３】
上記舗装材１５や敷石用ブロック１６は、大量の砂や砂利が骨材として使われており、この骨材は、河川敷から採取されたり、地下の埋蔵骨材を発掘採取していた。従って自然環境の破壊による予想外の災害をもたらしていた。しかし、大量の骨材を含む建造物の破壊したコンクリートを破砕等により粉粒化し、無機粉粒物２や骨材として使用できるので、自然界から採取する骨材の量を減少させられるから、自然環境の破壊を抑制できる。
【００２４】
更に、粉粒竹炭含有成形品８を歩道や歩道と車道の境界に置くプランター１７として使用することもできる。又、図６に示すように、植木鉢１８として使用することもできる。当然家庭用プランターであっても良い。
【００２５】
上記構成のプランター１７や植木鉢１８に植えた植物は、大変成長が早く、自動車の排気ガスを大量に含む大気中と言う悪環境下であっても枯れることなく丈夫であり、長寿でもあり、且つ、管理も容易である。プランター１７や植木鉢１８の含有成分である竹炭と、これらに植えた植物の両者から空気浄化効果が得られる。尚、プランター１７や植木鉢１８に拘るものではなく、小塊や微小塊として土中に入れたり土と混合すれば土壌改良剤としても友好である。
【００２６】
図７に示すように、粉粒竹炭含有成形品８を、花器２０や動物飼育用水槽としたり、陶磁器製花器や魚類飼育用硝子或は樹脂製水槽内に投入する水質腐敗防止用成形品２１とすることもできる。
【００２７】
上記構成の花器２０や水槽、或は、陶磁器製花器や硝子或は樹脂製水槽等の容器内に投入する水質腐敗防止用成形品２１は、含有成分として粉粒竹炭を有しており、この竹炭の高い水質浄化作用により良水質が維持され、長期間に渡り水が腐敗劣化しない。その結果、前記容器内の花木や動物が元気で長寿を保てる。この水質腐敗防止用品２１を容器や水槽、河川、湖沼の水中に入れると、これらの水が浄化され、水中生物（動植物）が元気になり、水質改良用品と言えるものである。
【００２８】
【実施例】
水を入れた硝子製花器に水質腐敗防止用成形品２１と榊２２を投入し、榊２２に吸われたり蒸発して減った分の水を補給しつづけた結果、５ヶ月後に榊２２の基部の切り口に数ｃｍの長さの根が多数成長していた。一般に榊は、１０日程度で枯れてしまうものであるが、上記実験では、５ヶ月間枯れることもなく、活き活きとしていたのみならず、基部の切り口に根まで生えてきた。
【００２９】
2004181772.tif 000003
基部の切り口周辺に数ｃｍの数十本の毛根が成長していた。
【００３０】
【発明の効果】
本発明に係る粉粒竹炭含有組成物と粉粒竹炭含有成形品は、組成物として微小化した無機粉粒物を有しており、この無機粉粒物が、生活廃棄物や産業廃棄物を加熱等の処理により無機質化したものである。これらの廃棄物の激増は、産業の発展と共に急増し、終末処理場の不足、生活環境や地球環境の悪化、地球温暖化等々諸々の社会問題を生じさせている。前記発明物は、廃棄物を無機質化した無機粉粒物を組成物としておるから、これらの廃棄物をリサイクルし有用な産業素材として活用できるようになった。従って、前記終末処理場不足を始めとする諸々の社会問題を抑制できる。
【００３１】
又、前記発明物は、組成物として微小化した粉粒竹炭を有しており、竹炭は木炭では得られない高性能な水・空気浄化機能が備わっている。又、竹は極めて短期間で成竹となる成長スピードの速い植物で、伐採した竹は廃棄物として処分するため前記生活・産業廃棄物と同様の社会問題を備えている。前述の通り、本発明の構成は粉粒竹炭を有しているから前記竹を廃棄物としてではなく有用な産業素材として活用できる。
【００３２】
粉粒竹炭含有組成物は、粉粒竹炭と無機粉粒物とを有しているので、施工現場で連結材と水を加えて混合するだけで、任意の形状の粉粒竹炭含有成形品を造れる。この粉粒竹炭含有組成物と連結材を有する粉粒竹炭含有組成物は、施工現場で水を加えて混合するだけで同様の効果を得られる。
【００３３】
粉粒竹炭含有成形品により諸々の建設資材を成形した場合、従来使用していた骨材としての砂や砂利の使用量を減らせるから、自然界から採取する骨材の量が減り、環境破壊を抑制できた。内装パネル、床材、天井材等の内装材として使用したときは、建造物内の空気を含有する粉粒竹炭が浄化する。
【００３４】
粉粒竹炭含有成形品を植木鉢やプランターとして使用すると、周辺の空気を浄化すると共に内部に収納した土を浄化改良し、植えた植物の成長を促進し、植物が丈夫且つ長寿であり、車の廃棄ガスを大量に含む悪環境下でも枯れることがない。
【００３５】
植木鉢の代わりに容器として使用すれば、容器内の水を浄化し、水中の動植物を活性化する。例えば、ガラスのコップ中に水を入れ榊を挿入し、蒸発した水を補給し続けただけで、榊は枯れることなく、５ヶ月後には榊の基部の切り口周辺に多数の毛根が生えた。
【図面の簡単な説明】
【図１】本発明に係る粉粒竹炭含有成形品の製造工程図である。
【図２】本発明に係る粉粒竹炭含有成形品の製造工程図である。
【図３】本発明に係る内装パネルの斜視図である。
【図４】本発明に係る内装パネルの斜視図である。
【図５】本発明に係る舗装材、敷石用ブロック、プランターを示す斜視配置図である。
【図６】本発明に係る植木鉢に木を植えた状態を示す斜視図である。
【図７】本発明に係る水質腐敗防止用成形品を榊と共に水を入れた硝子製コップに投入する状態を示す斜視図である。
【符号の説明】
１          粉粒竹炭含有組成物
２          無機粉粒物
３          連結材
４          容器
５          粉粒竹炭含有組成物
６          水
７          容器
８          粉粒竹炭含有成形品
１１          内装パネル
１２          ベース
１３          接着剤
１４          内装パネル
１５          舗装材
１６          敷石用ブロック
１７          プランター
１８          植木鉢
２０          花器
２１          水質腐敗防止用成形品
２２          榊
【図１】
2004181772.tif 000004
【図２】
2004181772.tif 000005
【図３】
2004181772.tif 000006
【図４】
2004181772.tif 000007
【図５】
2004181772.tif 000008
【図６】
2004181772.tif 000009
【図７】
2004181772.tif 000010